(57)【特許請求の範囲】
【請求項１】
第１の電極が配設され、被治療者が寝るマットと、
第２の電極が配設され、前記マットに取り付けられる頭部スタンドと、
前記第１の電極および前記第２の電極の少なくとも一方に電圧を印加する電圧発生装置と、を備え、
前記頭部スタンドは、前記第２の電極が配設されたヘッド部と、このヘッド部を回動自在に支持し前記マットに取り付けられる基台部とを有し、
前記基台部は、互いに対向する上基台部と下基台部とから成り、これら上基台部と下基台部とで前記マットの所定端部を挟持することおよびこの挟持を解除することで、前記頭部スタンドを前記マットに着脱自在に取り付けられ、
前記頭部スタンドが前記マットに取り付けられて前記ヘッド部が前記マットに対して立脚した状態で、前記第１の電極と前記第２の電極とが一定の位置関係に保たれて、前記被治療者の周囲に電界が適正に形成されるようにした、
ことを特徴とする臥床式電位治療装置。
【請求項２】
前記ヘッド部が、前記マットに対して立脚した状態から、前記マット側および反マット側にそれぞれ９０度折り畳み自在となっている、ことを特徴とする請求項１に記載の臥床式電位治療装置。
【発明の詳細な説明】
【技術分野】
【０００１】
この発明は、人体の周囲に電界を形成することで、治療をしたり、快適な睡眠を補助したりする電位治療装置に関し、特に、人体を寝かした状態で治療などを行う臥床式電位治療装置に関するものである。
【背景技術】
【０００２】
電位治療装置は、絶縁された人体に電圧を与え、人体の周囲に形成された電界による生体刺激作用を利用して、治療などを行うものである。このような電位治療装置には、被治療者が寝た状態で治療などを受けられる臥床式のものが知られている（例えば、特許文献１参照。）。この臥床式電位治療装置は、被治療者が寝るマットに第１の電極が配設され、電気スタンドのように独立して立て置くことができる頭部スタンドに第２の電極が配設され、マットと頭部スタンドとは独立した別体となっている。そして、例えば、第１の電極に電圧を印加し、第２の電極を接地することで、被治療者の人体の周囲に電界を形成するものである。
【特許文献１】実開昭５９−１４０７４３号公報
【発明の開示】
【発明が解決しようとする課題】
【０００３】
ところで、例えば、上記のような臥床式電位治療装置をベッドの上で使用する場合、マットをベッドの上に敷き、頭部スタンドをベッドの枕元近くに置く必要がある。しかしながら、枕元近くに頭部スタンドを置くスペースがない場合や、ベッドの状態などによっては頭部スタンドを安定して置くことが困難な場合などがある。このような場合には、ベッドにできるだけ近い棚や台などの上に頭部スタンドを置くことになり、被治療者の居住環境や被治療者による設置場所の選定などによって、頭部スタンドを置く場所が異なっていた。この結果、被治療者の頭部と電極との位置関係、あるいは電極間の位置関係が適正でない場合が生じ、適正な治療効果などが得られないおそれがあった。このように、頭部スタンドを安定して置くことができるスペースの確保が困難な場合があることや、適正な治療効果などが得られないおそれがある、といった問題があった。
【０００４】
そこでこの発明は、設置環境にかかわらず容易に設置でき、しかも常に適正な治療効果などを得ることが可能な臥床式電位治療装置を提供することを目的とする。
【課題を解決するための手段】
【０００５】
上記目的を達成するために請求項１に記載の発明は、第１の電極が配設され、被治療者が寝るマットと、第２の電極が配設され、前記マットに取り付けられる頭部スタンドと、前記第１の電極および前記第２の電極の少なくとも一方に電圧を印加する電圧発生装置と、を備え、前記頭部スタンドは、前記第２の電極が配設されたヘッド部と、このヘッド部を回動自在に支持し前記マットに取り付けられる基台部とを有し、前記基台部は、互いに対向する上基台部と下基台部とから成り、これら上基台部と下基台部とで前記マットの所定端部を挟持することおよびこの挟持を解除することで、前記頭部スタンドを前記マットに着脱自在に取り付けられ、前記頭部スタンドが前記マットに取り付けられて前記ヘッド部が前記マットに対して立脚した状態で、前記第１の電極と前記第２の電極とが一定の位置関係に保たれて、前記被治療者の周囲に電界が適正に形成されるようにした、ことを特徴とする臥床式電位治療装置である。
【０００６】
請求項２に記載の発明は、請求項１に記載の臥床式電位治療装置において、前記ヘッド部が、前記マットに対して立脚した状態から、前記マット側および反マット側にそれぞれ９０度折り畳み自在となっている、ことを特徴とする。
【発明の効果】
【０００８】
請求項１に記載の発明によれば、頭部スタンドをマットに取り付けることで、頭部スタンドがマットに一体的に配設されるため、例えば、マットをベッドの上に敷くことで、頭部スタンドも安定して設置され、頭部スタンドを置くスペースを別途確保する必要がなく、設置環境にかかわらず容易に設置することができる。また、頭部スタンドのヘッド部がマットに対して立脚した状態では、被治療者の周囲に適正な電界が形成されるため、設置環境にかかわらず常に適正な治療効果などを得ることが可能となる。しかも、頭部スタンドがマットに対して着脱自在であるため、頭部スタンドをマットから取り外すことで、マットのみを干したり、交換したりすることができる。
【０００９】
請求項２に記載の発明によれば、頭部スタンドのヘッド部が、マット側および反マット側に９０度折り畳み自在であるため、装置を使用しない場合に、頭部スタンドを折り畳むことで、運搬性や取扱性が高まり、さらに、収納スペースを減らすことができる。
【発明を実施するための最良の形態】
【００１１】
以下、この発明を図示の実施の形態に基づいて説明する。
【００１２】
図１は、この発明の実施の形態に係る臥床式電位治療装置１を示す斜視図である。この臥床式電位治療装置１は、人体の周囲に電界を形成することで、治療をしたり、快適な睡眠を補助したりする装置であり、マット２と、頭部スタンド３と、本体ユニット（電圧発生装置）４とを備えている。
【００１３】
マット２は、被治療者が寝るシート状のマットであり、絶縁性の基材で構成され、図２に示すように、電極線（第１の電極）２１とヒータ線２２とが埋設されている。電極線２１は、マット２の中央よりも枕元側、つまり被治療者がマット２に寝た際に被治療者の胸部から腹部程度に位置するように配設され、後述するように、一端部が頭部スタンド３を介して本体ユニット４の第２の出力端子４２（図１１参照）に接続されている。ヒータ線２２は、マット２の中央よりも足元側、つまり被治療者がマット２に寝た際に被治療者の腰部からつま先程度に位置するように配設され、後述するように、両端部が頭部スタンド３を介して本体ユニット４のヒータ端子（図示せず）に接続されている。このように、マット２内に電極線２１とヒータ線２２とを埋設することで、マット２外へのコードの露出量が削減されている。また、電極線２１の一端部およびヒータ線２２の両端部は、１つのマット側ソケット２Ａに収容されている。
【００１４】
また、マット２の枕元側の中央部には、図３に示すような取付リング２３が配設されている。すなわち、マット２の基材に円形の取付孔２ａが形成され、この取付孔２ａの周縁をカバーするように、断面がコ字状で円環状の取付リング２３が装着されている。そして、後述するように、この取付リング２３を介して頭部スタンド３が取り付けられるようになっている。
【００１５】
頭部スタンド３は、図４、５に示すように、主として、基台部３１とヘッド部３２とから構成されている。基台部３１は、上基台部３３と下基台部３４とから構成され、基台ヒンジ３１Ａを介して開閉自在となっている。上基台部３３と下基台部３４はともに平板状で、下基台部３４の下面は平坦状に形成され、設置の安定性が高められている。また、下基台部３４の上面中央部には、円板状の装着部３４ａが形成され、その外径がマット２の取付リング２３の内径よりもやや小さく設定され、図６に示すように、中央部には取付ボルト３５が装着されている。また、上基台部３３の上面には、上方に突出したヒンジ凸部３３ａが形成され、下面側にはネジ穴３３ｂが形成されている。
【００１６】
そして、図７に示すように、上基台部３３と下基台部３４との間にマット２の枕元側を位置させ、下基台部３４の装着部３４ａを取付リング２３内に挿入する。次に、上基台部３３と下基台部３４とでマット２を挟み、取付ボルト３５をネジ穴３３ｂに締め付ける。これにより、上基台部３３と下基台部３４とでマット２を挟持した状態で、頭部スタンド３がマット２に取り付けられる。このようにして、頭部スタンド３がマット２に一体的に配設されるものである。また、取付ボルト３５をネジ穴３３ｂから外して、装着部３４ａを取付リング２３から抜くことで、頭部スタンド３がマット２から取り外れる。このようにして、頭部スタンド３がマット２に対して着脱自在となっているものである。
【００１７】
ヘッド部３２は、絶縁材で構成され、上側に位置して横長長方形の上ヘッド部３６と、この上ヘッド部３６の中央下端部から下方に延びる下ヘッド部３７とから構成されている。上ヘッド部３６には上部電極（第２の電極）３６Ａが内蔵され、後述するようにして、本体ユニット４の第１の出力端子４１に接続されるようになっている。ここで、後述するようにしてヘッド部３２を垂直に起こした状態で、上部電極３６Ａが適正な位置に位置するように、つまり、人体の周囲に電界が適正に形成されるように、上ヘッド部３６および上部電極３６Ａの位置が設定されている。また、上ヘッド部３６の上側両角部には、光を蓄積できる蓄光部材３６Ｂが配設され、暗闇時などでも頭部スタンド３を視認でき、上ヘッド部３６につまずくことを防止するようになっている。
【００１８】
下ヘッド部３７の下端部には、凹状のヒンジ凹３７ａが形成され、このヒンジ凹３７ａに基台部３１のヒンジ凸部３３ａが挿入された状態でヒンジ軸（図示せず）が装着されて、主ヒンジ３Ａが構成されている。そして、図８、９に示すように、この主ヒンジ３Ａを介してヘッド部３２を基台部３１に対して、垂直に起こしたり水平に（並行に）寝かしたりすることができ、このようして頭部スタンド３がマット２に対して折り畳み自在となっている。また、主ヒンジ３Ａは、９０度ごとに回動が一旦抑止（制動）されるクリック機構を備え、ヘッド部３２を垂直に起こした状態（図９の実線状態）で回動が停止し、ヘッド部３２をマット２側に寝かした状態およびマット２の反対側に寝かした状態（図９の二点鎖線状態）で回動が停止するようになっている。なお、主ヒンジ３Ａにクリック感を持たせることで直立状態を維持できるようにしたが、主ヒンジ３Ａにフリクションを持たせるようにしてもよい。
【００１９】
ヘッド部３２の背面側には、図１０に示すように、３つのソケット３２Ａ〜Ｃが設けられ、第１のソケット３２Ａに接続ケーブル５の一端部（プラグ）が装着され、上記のマット側ソケット２Ａに接続ケーブル５の他端部が装着されている。また、第２のソケット３２Ｂに本体ユニット４からの第１のケーブル４Ｂの一端部が装着され、第３のソケット３２Ｃに本体ユニット４からの第２のケーブル４Ｃの一端部が装着されている。これらのケーブル５、４Ｂ、４Ｃを介しての電圧の印加などについては後述する。さらに、下ヘッド部３７の側部には、ヒータ機能をオン、オフさせ、さらに、ヒータ温度（ヒータ線２２への電力量）を調整するヒータスイッチ３７Ａが配設されている。このヒータスイッチ３７Ａからの信号は、後述するようにして、第２のケーブル４Ｃを介して本体ユニット４に伝送されるようになっている。
【００２０】
本体ユニット４は、電極線２１および上部電極３６Ａの少なくとも一方に電圧を印加するとともに、ヒータ線２２に電力を供給する装置である。ここで、電極線２１および上部電極３６Ａにどうような電圧を印加して、どのような電界を人体の周囲に形成するかは、人体を治療するのか、あるいは快適な睡眠を補助するのかなどの目的に応じて異なる。
【００２１】
この本体ユニット４には、図１１に示すように、３つのトランス４３〜４５が配設されている。第１のトランス４３は、１０００Ｖを超える交流高電圧を発生させるトランスであり、第１のスイッチＳＷ１を介して商用電源Ｇ側に接続され、出力側は、第１の抵抗器４６を介して第１の出力端子４１に接続されている。第２のトランス４４は、接地電位に対して負の電位である直流電圧を発生させるトランスであり、第２のスイッチＳＷ２を介して商用電源Ｇ側に接続されている。また、第２のトランス４４の出力側は、第２の抵抗器４７を介して第２の出力端子４２に接続され、さらに、第３のトランス４５の出力側に接続されたコンデンサ４８が接続され、このコンデンサ４８によって直流発生のための平滑回路を構成するとともに、第３のトランス４５側からの交流を第２の出力端子４２側に通過させるようになっている。また、第２のトランス４４の出力側で第２の抵抗器４７との間には、分流器４９が接続され、第２のスイッチＳＷ２がオフのときに、この分流器４９によって第３のトランス４５側からの交流のみがコンデンサ４８を通過するようになっている。
【００２２】
第３のトランス４５は、１０００Ｖ以下の交流電圧を発生させるトランスであり、第３のスイッチＳＷ３を介して商用電源Ｇ側に接続されている。また、第３のトランス４５の出力側は、上記のようにコンデンサ４８に接続され、コンデンサ４８および第２の抵抗器４７を介して第２の出力端子４２側に出力されるようになっている。そして、このような回路において、スイッチＳＷ１〜ＳＷ３を開閉制御するコントローラによって、スイッチＳＷ１〜ＳＷ３が所定のタイミングでオン、オフされることで、所定の電圧が出力端子４１、４２に出力されるようになっている。
【００２３】
また、本体ユニット４には、商用電源からの電力をヒータ用として出力するヒータ端子を備え、第１の出力端子４１が第１のケーブル４Ｂに接続され、第２の出力端子４２とヒータ端子と信号線端子（図示せず）とが、第２のケーブル４Ｃの各線に接続されている。そして、第１の出力端子４１に出力された電圧が、第１のケーブル４Ｂを介して頭部スタンド３の上部電極３６Ａに印加されるようになっている。また、第２の出力端子４２に出力された電圧が、第２のケーブル４Ｃおよび接続ケーブル５を介して、マット２の電極線２１に印加されるようになっている。同様に、ヒータ端子に出力された電力が、第２のケーブル４Ｃおよび接続ケーブル５を介して、マット２のヒータ線２２に供給されるようになっている。また、電源コード４Ａは、コードリールによって本体ユニット４内に収納自在となっている。
【００２４】
次に、このような構成の臥床式電位治療装置１の作用などについて説明する。
【００２５】
まず、図１に示すように、マット２を床やベッドの上に敷き、頭部スタンド３のヘッド部３２を垂直に起す。これにより、マット２とともに頭部スタンド３が設置される。次に、頭部を枕元に位置させるようにして被治療者がマット２の上に寝て、本体ユニット４を稼働させる。これにより、上記のようにして頭部スタンド３の上部電極３６Ａおよびマット２の電極線２１が、所定の電位に印加され、被治療者の人体の周囲に電界が形成されて、この電界によって治療や睡眠補助がなされる。また、本体ユニット４のヒータ機能を稼動させると、上記のようにしてヒータ線２２に電力が供給されてヒータ線２２が加熱され、被治療者の足などが暖められる。
【００２６】
また、臥床式電位治療装置１を使用しない場合には、すべてのケーブル５、４Ｂ、４Ｃを頭部スタンド３から取り外し、上記のようにして頭部スタンド３をマット２側に折り畳む。そして、頭部スタンド３とともにマット２を折り畳んで、押入れなどに収納する。さらに、マット２のみを干したり、交換したりする場合には、上記のようにして頭部スタンド３をマット２から取り外し、マット２のみの状態とする。
【００２７】
以上のように、この電位治療装置１によれば、頭部スタンド３がマット２に一体的に配設されているため、マット２をベッドの上などに敷くことで、頭部スタンド３も安定して設置される。このため、頭部スタンド３を置くスペースを別途確保する必要がなく、設置環境にかかわらず容易に設置することができる。また、頭部スタンド３がマット２に一体的に配設されているため、被治療者の頭部と頭部スタンド３の上部電極３６Ａとの位置関係や、電極線２１と上部電極３６Ａとの位置関係が常にほぼ一定となり、しかも、上記のように、上部電極３６Ａが適正な位置に設定されている。このため、人体の周囲に適正な電界が常に形成され、設置環境にかかわらず常に適正な治療効果などを得ることが可能となる。
【００２８】
さらに、頭部スタンド３がマット２に対して折り畳み自在なため、頭部スタンド３を折り畳むことで、運搬性や取扱性が高まり、さらに、収納スペースを減らすことができる。また、頭部スタンド３がマット２に対して着脱自在なため、頭部スタンド３をマット２から取り外すことで、マット３のみを干したり、交換したりすることなどができる。
【００２９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、マット２に電極として１つの電極線２１を配設しているが、複数の電極を配設してもよい。また、本体ユニット４の回路、つまり各電極２１、３６Ａへの電位印加機構は、上記の回路以外であってもよいことは勿論である。例えば、単に、１つの昇圧トランスを備え、昇圧した高圧の交流電圧を電極線２１に印加し、上部電極３６Ａをアース電位にするようにしてもよい。
【産業上の利用可能性】
【００３０】
以上のように、この発明に係る臥床式電位治療装置は、設置環境にかかわらず容易に設置でき、しかも常に適正な治療効果などを得ることが可能な装置として極めて有用である。
【図面の簡単な説明】
【００３１】
【図１】この発明の実施の形態に係る臥床式電位治療装置を示す斜視図である。
【図２】図１の臥床式電位治療装置のマットの平面図である。
【図３】図２のマットの取付リングの配設状態を示す断面図である。
【図４】図１の臥床式電位治療装置の頭部スタンドの正面図である。
【図５】図４の頭部スタンドの側面図である。
【図６】図４の頭部スタンドのマットへの取付方法を示す側面図（一部断面図）である。
【図７】図４の頭部スタンドのマットへの取付方法を示す斜視図である。
【図８】図１の臥床式電位治療装置の頭部スタンドをマット側に折り畳んだ状態を示す平面図である。
【図９】図１の臥床式電位治療装置の頭部スタンドを折り畳む状態を示す側面図である。
【図１０】図４の頭部スタンドの背面状態を示す図である。
【図１１】図１の臥床式電位治療装置の本体ユニットの概略回路図である。
【符号の説明】
【００３２】
１          臥床式電位治療装置
２          マット
２ａ        取付孔
２Ａ        マット側ソケット
２１        電極線（第１の電極）
２２        ヒータ線
２３        取付リング
３          頭部スタンド
３Ａ        主ヒンジ
３１        基台部
３１Ａ      基台ヒンジ
３２        ヘッド部
３２Ａ〜Ｃ  ソケット
３３        上基台部
３３ａ      ヒンジ凸部
３３ｂ      ネジ穴
３４        下基台部
３４ａ      装着部
３５        取付ボルト
３６        上ヘッド部
３６Ａ      上部電極（第２の電極）
３６Ｂ      蓄光部材
３７        下ヘッド部
３７ａ      ヒンジ凹
３７Ａ      操作スイッチ
４          本体ユニット（電圧発生装置）
４１、４２  出力端子
４３〜４５  トランス
４６、４７  抵抗器
４８        コンデンサ
４９        分流器
ＳＷ１〜３  スイッチ
４Ａ        電源コード
４Ｂ        第１のケーブル
４Ｃ        第２のケーブル
５          接続ケーブル
【図１】
0004582814.tif 000002
【図２】
0004582814.tif 000003
【図３】
0004582814.tif 000004
【図４】
0004582814.tif 000005
【図５】
0004582814.tif 000006
【図６】
0004582814.tif 000007
【図７】
0004582814.tif 000008
【図８】
0004582814.tif 000009
【図９】
0004582814.tif 000010
【図１０】
0004582814.tif 000011
【図１１】
0004582814.tif 000012